(57)【要約】  ハーネスコネクタ（１００）は、プラグ端部と取付け端部（１３４）との間に延出するヘッダーハウジング（１３０）を含むヘッダーアセンブリ（１０２）を有すること。このヘッダーハウジングは、ヘッダー接点（１３６）を保持する。ヘッダーハウジングは、取付け端部で印刷回路ボードに取付けられることができ、ヘッダー接点は、印刷回路ボードへ電気的に接続される。一つ以上のプラグアセンブリ（１０４，１０６）は、ヘッダーハウジング（１３０）のプラグ端部に受け取られる。プラグアセンブリは、レセプタクル端子（１４２）を保持するプラグハウジングを含む。レセプタクル端子（１４２）は、嵌合端部と終端端部との間でプラグ軸に対して平行な端子軸に沿って延出する。嵌合端部は、対応するヘッダー接点と嵌合される。終端端部は、対応するワイヤを受け取り、ワイヤに電気的に接続されるように構成される絶縁変位接点を有する。ワイヤは、端子軸に対して概して垂直であるワイヤ軸に沿って絶縁変位接点から延出する。【選択図】図１０
2014514723.tif 000002
【特許請求の範囲】
【請求項１】
ハーネスコネクタ（１００）であって、
プラグ端部（１３２）と取付け端部（１３４）との間に延出するヘッダーハウジング（１３０）を含むヘッダーアセンブリ（１０２）を備え、前記ヘッダーハウジングがヘッダー接点（１３６）を保持することと、
前記ヘッダーハウジングのプラグ端部に収容されるプラグアセンブリ（１０４）を備え、前記プラグアセンブリがレセプタクル端子（１４２）を保持するプラグハウジング（１４０）を含み、前記レセプタクル端子が嵌合端部（２８０）と終端端部（２８２）との間に端子軸（１４４）に沿って延出し、前記嵌合端部は、対応するヘッダー接点と嵌合され、前記終端端部が対応するワイヤ（１１２）を受け取り、電気的に接続されるように構成される絶縁変位接点（２８８，２９０）を有し、前記ワイヤが前記端子軸に概して垂直であるワイヤ軸（１１６）に沿って前記絶縁変位接点から延出することを含むハーネスコネクタ（１００）。
【請求項２】
前記絶縁変位接点（２８８，２９０）は、対応するワイヤ（１１２）を受け取るように構成されるスロット（２９２，２９４）を画定し、前記スロットが前記端子軸（１４４）に対して概して垂直に配向される請求項１に記載のハーネスコネクタ（１００）。
【請求項３】
各終端端部（２８２）は、第１のスロット（２９２）を画定する第１の絶縁変位接点（２８８）と第２のスロット（２９４）を画定する第２の絶縁変位接点（２９０）を有し、前記第１と第２のスロットは、前記対応するレセプタクル端子（１４２）へ終端される前記ワイヤ（１１２）の前記ワイヤ軸（１１６）に沿って一直線にされており、前記ワイヤは、前記対応するレセプタクル端子の前記第１と第２のスロットの両方内に受け取られる請求項１に記載のハーネスコネクタ（１００）。
【請求項４】
前記プラグハウジング（１４０）は、外端部（３０８）と内端部（３１０）との間に延出する前部（３００）と背部（３０２）を含み、前記内端部は、前記ヘッダーハウジング（１３０）へプラグ接続され、前記前部と背部は、前記端子軸（１４４）に対して平行に延出し、前記プラグハウジングは、前記外端部の前記前部と背部に複数の開口端チャネル（３１８，３２０）を有し、前記絶縁変位接点（２８８，２９０）は、前記開口端チャネルを介して前記ワイヤ（１１２）を受け取り、前記ワイヤは、前記前部から延出する請求項１に記載のハーネスハウジング（１００）。
【請求項５】
前記プラグハウジング（１４０）は、外端部（３０８）と内端部（３１０）との間に延出する前部（３００）と背部（３０２）を含み、前記内端部は、前記ヘッダーハウジング（１３０）へプラグ接続され、前記前部と背部は、前記端子軸（１４４）に対して平行に延出し、前記ワイヤ軸は、前記前部と背部に対して概して垂直に配向される請求項１に記載のハーネスコネクタ（１００）。
【請求項６】
更に、前記ヘッダーハウジング（１３０）の前記プラグ端部（１３２）へ受け取られる第２のプラグアセンブリ（１０６）を備える請求項１に記載のハーネスコネクタ（１００）。
【請求項７】
更に、互い違いの関係で前記ヘッダーハウジング（１３０）のプラグ端部（１３２）内へ受け取られる第２のプラグアセンブリ（１０６）を備え、この第２のプラグアセンブリ（１０６）は、前記第２のプラグアセンブリは、他方のプラグアセンブリ（１０４）よりもヘッダーハウジングの取付け端部（１３４）からより遠くに位置され、前記第２のプラグアセンブリから延出する前記ワイヤ（１１２）は、前記他方のプラグアセンブリ上に延出する請求項１に記載のハーネスコネクタ（１００）。
【請求項８】
前記プラグアセンブリ（１０４）は、互い違いの関係で前記レセプタクル端子（１４２）を保持し、前記レセプタクル端子の少なくとも一つは、少なくとも一つの他のレセプタクル端子よりも取付け端部（１３４）からより遠くに位置される請求項１に記載のハーネスコネクタ（１００）。
【請求項９】
前記ヘッダー接点は、ピン（２５０）と前記ピンから略垂直に前記ピンから延出する尾部（２５２）を有するＬ形状であり、前記尾部は、前記ワイヤ軸（１１６）に対して概して平行に延出し、前記ピンは、前記端子軸（１４４）に対して概して平行に延出し、前記ヘッダー接点（１３６）は、印刷回路ボード（１２０）に表面取付けされるように構成される尾部を含む請求項１に記載のハーネスコネクタ（１００）。
【請求項１０】
前記レセプタクル端子（１４２）は、第１のレセプタクル端子と前記第１のレセプタクル端子と同一ではない第２のレセプタクル端子を含む請求項１に記載のハーネスコネクタ（１００）。
【発明の詳細な説明】
【技術分野】
【０００１】
本書の主題は、一般的に、ハーネスコネクタに関する。
【背景技術】
【０００２】
ハーネスコネクタは、自動車の用途を含む、異なる用途で使用される。典型的には、ハーネスコネクタは、ヘッダーコネクタ及びこれらのヘッダーコネクタへ嵌合されるプラグコネクタを含む。プラグコネクタは、典型的には、ワイヤハーネスのワイヤへワイヤ取付けされる。プラグコネクタは、ワイヤの端部に圧着され、プラグコネクタへ装填される端子を含む。ワイヤは、プラグコネクタから端子の軸に沿う方向へ延出する。
【発明の概要】
【発明が解決しようとする課題】
【０００３】
幾つかの用途での空間制限に起因して、ワイヤが延出するそのようなプラグコネクタを有することは、望ましくないか或いは使用に適さない可能性がある。
【課題を解決するための手段】
【０００４】
その問題は、低プロファイルを有し且つコスト効率的且つ信頼できる方法で製造及び組み立てされることができる、ここで記述されるハーネスコネクタによって解決される。ハーネスコネクタは、プラグ端部と取付け端部との間に延出するヘッダーハウジングを含むヘッダーアセンブリを有する。ヘッダーハウジングは、ヘッダー接点を保持する。任意ではあるが、そのヘッダーアセンブリは、取付け端部で印刷回路ボードへ取り付けられることができ、ヘッダー接点は、印刷回路ボードへ電気的に接続される。一つ以上のプラグアセンブリは、プラグ軸に沿ってヘッダーハウジングのプラグ端部に受け取られる。プラグアセンブリは、レセプタクル端子を保持するプラグハウジングを含む。レセプタクル端子は、嵌合端部と終端端部との間でプラグ軸に平行な端子軸に沿って延出する。嵌合端部は、対応するヘッダー接点と嵌合する。終端端部は、対応するワイヤを受け取り且つそれらに電気的に接続されるように構成される絶縁変位接点を有する。それらのワイヤは、一般的に端子軸に対して垂直であるワイヤ軸に沿って絶縁変位接点から延出する。
【０００５】
本発明は、添付の図面を参照して例として記述される。図面において、
【図面の簡単な説明】
【０００６】
【図１】例示的実施形態に従って形成されるハーネスコネクタの斜視図である。
【０００７】
【図２】例示的実施形態に従って形成される図１に示されるハーネスコネクタのためのヘッダーアセンブリの正面の斜視図である。
【０００８】
【図３】図１に示されるハーネスコネクタのためのヘッダーハウジングの底面の斜視図である。
【０００９】
【図４】図１に示されるハーネスコネクタのためのヘッダーハウジングの底面の斜視図である。
【００１０】
【図５】例示的実施形態に従って形成されるヘッダー接点の斜視図である。
【００１１】
【図６】例示的実施形態に従って形成されるレセプタクル端子の側面の斜視図である。
【００１２】
【図７】図１に示されるハーネスコネクタのためのプラグアセンブリの正面の斜視図である。
【００１３】
【図８】図１に示されるハーネスコネクタのためのプラグアセンブリの横断面図である。
【００１４】
【図９】図１に示されるハーネスコネクタの正面の斜視図である。
【００１５】
【図１０】図１に示されるハーネスコネクタの横断面図である。
【００１６】
【図１１】図１に示されるハーネスコネクタの正面図である。
【００１７】
【図１２】図３に示されるヘッダーハウジングと嵌合されるプラグアセンブリの横断面図である。
【００１８】
【図１３】ハーネスコネクタの分解図である。
【発明を実施するための形態】
【００１９】
図１は、例示的実施形態に従って形成されるハーネスコネクタ１００の斜視図である。このハーネスコネクタ１００は、ヘッダーアセンブリ１０２と、このヘッダーアセンブリ１０２と嵌合される複数のプラグアセンブリ１０４，１０６を含む。ヘッダーアセンブリ１０２は、代替の実施形態では、任意の数のプラグアセンブリと嵌合されるように構成されることができる。
【００２０】
ワイヤハーネス１０８，１１０は、夫々、プラグアセンブリ１０４，１０６へ終端される。各ワイヤハーネス１０８，１１０は、一緒に束ねられることができる複数のワイヤを含む。例示的実施形態において、プラグアセンブリ１０４，１０６は、直角プラグアセンブリを構成し、そこでは、ワイヤ１１２は、プラグアセンブリ１０４，１０６から概して垂直に延出する。例えば、プラグアセンブリ１０４，１０６は、概してプラグ軸１１４に沿って延出し、ワイヤ１１２は、概してプラグ軸１１４に対して垂直であるワイヤ軸１１６に沿って延出する。ワイヤ１１２の終端ポイントの下流において、ワイヤ１１２は、プラグ軸１１４に平行である方向を含む、あらゆる方向へ経路配置されることができるが、ワイヤ１１２の終端ポイントにおいて、ワイヤ軸１１６は、プラグ軸１１４に対して垂直であることに留意すべきである。ワイヤ軸１１６をプラグ軸１１４に対して垂直にすることによって、ハーネスコネクタ１００の全体の高さ(例えば、プラグ軸１１４に沿う)が最小にされることができる。
【００２１】
ヘッダーアセンブリ１０２は、印刷回路ボード（ＰＣＢ）１２０へ表面取付けされる。ＰＣＢ１２０は、複数の取付けパッド１２４を有する外表面１２２を含む。ヘッダーアセンブリ１０２は、プラグ端部１３２と取付け端部１３４との間に延出するヘッダーハウジング１３０を含む。ヘッダーハウジング１３０は、中に複数のヘッダー接点１３６を保持する。ヘッダーハウジング１３０は、取付け端部１３４でＰＣＢ１２０へ取り付けられる。ヘッダー接点１３６は、取付け端部１３４に沿って露出され、ＰＣＢ１２０の取付けパッド１２４へ電気的に接続される。例示的実施の形態において、ヘッダー接点１３６は、取付けパッド１２４へはんだ付けされる。ヘッダー接点１３６は、代替の実施形態において代替の手段によってＰＣＢ１２０へ終端されることができる。幾つかの実施の形態において、ヘッダー接点１３６は、表面取付けではなくてＰＣＢ１２０への貫通孔取付けをされてもよい。他の代替実施の形態では、ＰＣＢへの取付けの代わりに、ヘッダーハウジング１３０は、ケーブルの個々のワイヤへ終端されるヘッダー接点１３６を有するそのケーブルへ又は個々のケーブルへ取り付けられるか又は終端されることができる。
【００２２】
例示的実施の形態において、プラグアセンブリ１０４，１０６は、実質的に互いに同一であってもよい。ここでの記述は、プラグアセンブリ１０４へ焦点が当たるが、プラグアセンブリ１０６は、プラグアセンブリ１０４と同一又は類似の特徴を有することができる。プラグアセンブリ１０４は、ヘッダーハウジング１３０のプラグ端部１３２にプラグ軸１１４に沿って受け取られる。プラグアセンブリ１０４は、複数のレセプタクル端子１４２を保持するプラグハウジング１４０を含む。レセプタクル端子１４２は、プラグ軸１１４に略平行である端子軸１４４に沿って延出する。レセプタクル端子１４２は、対応するヘッダー接点１３６へ嵌合されるように構成される。レセプタクル端子１４２は、対応するワイヤ１１２へ終端されるように構成される。例示的実施形態において、以下に詳細に記述されるように、ワイヤ１１２は、絶縁変位接続によってレセプタクル端子１４２へ終端されるように構成される。ワイヤ１１２は、レセプタクル端子１４２から端子軸１４４に概して垂直な方向へ延出する。
【００２３】
例示的実施形態において、プラグアセンブリ１０４，１０６は、互い違い構成でヘッダーハウジング１３０に受け取られる。プラグアセンブリ１０４は、プラグアセンブリ１０６の下方に凹まされる。プラグアセンブリ１０６は、概してＰＣＢ１２０からより遠くへプラグアセンブリ１０４の上方へ上げられる。プラグアセンブリ１０６をプラグアセンブリ１０４の上方へ上げることによって、プラグアセンブリ１０６空間から延出するワイヤ１１２をプラグハウジング１４０の側部から延出して、プラグアセンブリ１０４の上を通すことが可能とされる。そのように、プラグアセンブリ１０４，１０６からのワイヤ１１２は、同じ方向へ延出する。代替の実施形態では、ワイヤ１１２は、互いに反対方向へ延出できる。
【００２４】
ハーネスコネクタ１００は、多くの異なるタイプの用途で使用されることができる。一特定の用途では、ハーネスコネクタ１００は、自動車用途で使用される。例えば、ハーネスコネクタ１００は、バックミラーコネクタシステムの一部として使用されてもよいし、バックミラー内に収容されてもよい。ＰＣＢ１２０は、ミラー１５０の裏側へ直接に取り付けられることができ、ＰＣＢ１２０とハーネスコネクタ１００は、ミラーハウジング１５２（図１において透視で示される）内に位置される。ワイヤハーネス１０８，１１０は、バックミラーをフロントガラスへ取り付けるために使用される取付けポスト(図示せず)を介して延出することができる。バックミラーの組み立て中に、ワイヤハーネス１０８，１１０及びプラグアセンブリ１０４，１０６は、小さな内径を有し、他のワイヤハーネスやコネクタのような他のコンポーネントを収容できる取付けポストを通過させられることができる。サイズの制約に起因して、レセプタクル端子１４２を有する単一のプラグアセンブリよりも二列に沿って複数のプラグアセンブリ１０４，１０６を有するハーネスコネクタ１００を設けることが有利である。例えば、二つのプラグアセンブリ１０４，１０６を使用することによって、プラグアセンブリ１０４，１０６は、ヘッダーアセンブリ１０２と嵌合するための二列のレセプタクル端子１４２を持ったプラグアセンブリの略半分の幅であることができる。プラグアセンブリ１０４，１０６のそのような狭い設計によって、プラグアセンブリ１０４，１０６は、レセプタクル端子１４２の全てを保持するより幅の広いプラグアセンブリを使用するシステムよりもヘッダーアセンブリ１０２と嵌合するためのバックミラーの取付けポストをより容易に通過することができる。
【００２５】
例示的実施形態において、バックミラーが組み立てられると、ミラーハウジング１５２は、プラグアセンブリ１０４，１０６に当接してヘッダーハウジング１３０中にプラグアセンブリ１０４，１０６を保持できる。ミラーハウジング１５２は、プラグアセンブリ１０４，１０６のヘッダーハウジング１３０から外へ後退することに抗することができる。ミラーハウジング１５２は、ヘッダーハウジング１３０及び／又はプラグアセンブリ１０４，１０６の他の固定機能部に加えて、バックアップ固定機能部として動作できる。
【００２６】
図２は、例示的実施形態に従って形成されるヘッダーアセンブリ１０２の正面の斜視図である。ヘッダーアセンブリ１０２は、ヘッダー接点１３６を保持するヘッダーハウジング１３０を含む。ヘッダーハウジング１３０は、プラスチック材料のような誘電体材料から製造される。取付け端部１３４は、ヘッダーハウジング１３０の底部に設けられる。プラグ端部１３２は、ヘッダーハウジング１３０の頂部に設けられる。ヘッダーハウジング１３０は、前部２００とその前部２００の反対側の背部２０２を含む。ヘッダーハウジング１３０は、前部２００と背部２０２との間に延出する両側部２０４，２０６を含む。
【００２７】
ヘッダーハウジング１３０は、夫々、プラグアセンブリ１０４，１０６(図１に示される)を収容する第１と第２の室２０８，２１０を含む。例示的実施形態において、第２の室２１０は、第１の室２０８よりも背が高い。第２の室２１０は、第１の室２０８に対して上げられている。例示的実施形態において、ヘッダー接点１３６は、取付け端１３４から室２０８，２１０内へ延出している。室２０８，２１０は、夫々、キー機能部２１２，２１４を含む。キー機能部２１２は、プラグアセンブリ１０４を第１の室２０８内へ適切に位置決めするために使用される。キー機能部２１４は、プラグアセンブリ１０６を第２の室２１０内へ適切に位置決めするために使用される。例示的実施形態において、キー機能部２１２，２１４は、プラグアセンブリ１０４，１０６のヘッダーアセンブリ１０２との嵌合を合わせるために互いに異なっている。例えば、キー機能部２１２は、キー機能部２１４よりも遠くに広げられている。キー機能部２１２は、側部２０４，２０６により近くに位置されているが、キー機能部２１４は、背部２０２の中心により近くに位置されている。プラグアセンブリ１０４，１０６は、以下で更に詳細に記述されるように、対応するキー機能部を含み、それによって、プラグアセンブリ１０４は、第１の室２０８にのみ収容されることができ、第２の室２１０へ装填されることが制限さされる。同様に、第２のプラグアセンブリ１０６は、第２の室２１０へのみ収容されることができ、第１の室２０８へ装填されることが制限される。
【００２８】
ヘッダーハウジング１３０は、側部２０４，２０６に形成されたスロット２１６を含む。スロット２１６は、ヘッダーハウジング１３０にプラグアセンブリ１０４，１０６を固定するためのラッチ機構部を画定する。他のタイプのラッチ機能部が代替の実施形態で使用されてプラグアセンブリ１０４，１０６をヘッダーハウジング１３０へ固定してもよい。
【００２９】
ヘッダーハウジング１３０は、側部２０４，２０６から延出する取付けポスト２１８を含む。はんだクリップ２２０が取付けポスト２１８へ固定される。はんだクリップ２２０は、ＰＣＢ１２０（図１に示される）へはんだ付けされてヘッダーハウジング１３０をＰＣＢ１２０へ固定するように構成される。
【００３０】
ヘッダーハウジング１３０は、第１の室２０８と第２の室２１０とを分離する中間壁２２２を含む。前部２００は、プラグ端部１３２で開口する窓２２４を含む。プラグアセンブリ１０４が第１の室２０８へ装填されると、ワイヤ１１２（図１に示される）が窓２２４を通って延出する。中間壁２２２は、窓２２６を含む。第２のプラグアセンブリ１０６が第２の室２１０へ装填されると、第２のプラグアセンブリ１０６から延出するワイヤ１１２は、窓２２６を通って延出する。窓２２６は、プラグ端部１３２で開口する。
【００３１】
図３は、ヘッダーハウジング１３０の底面の斜視図である。ヘッダーハウジング１３０は、取付け端部１３４から延出する取付けパッド２２８を含む。例示的実施形態において、取付けパッド２２８は、ヘッダー接点１３６の列同士間で側部２０４，２０６へ近接して設けられる。取付けパッド２２８は、前部２００と背部２０２との間の略中心に配置される。取付けパッド２２８は、ヘッダーコンタクト１３６と略同一平面である。ヘッダーハウジング１３０がＰＣＢ１２０（図１に示される）へ取り付けられると、取付けパッド２２８は、ＰＣＢ１２０の外表面１２２（図１に示される）上に載ることができる。或いは、取付けパッド２２８は、外表面１２２より上方へ僅かに上げられることができる。エポキシが取付けパッド２２８の回りのヘッダーハウジング１３０の取付け端部１３４へ塗布されることができる。そのエポキシは、取付けパッド２２８の側壁及び／底部へ付着されることができる。ヘッダーハウジング１３０がＰＣＢ１２０へ取り付けられると、取付けパッド２２８回りのエポキシがヘッダーハウジング１３０をＰＣＢ１２０へ固定するために使用されることができる。任意ではあるが、エポキシは、はんだクリップ２２０（図２に示される）を使用する代わりにヘッダーハウジング１３０をＰＣＢ１２０へ固定するために使用されることができる。或いは、エポキシは、はんだクリップ２２０に加えて使用されてもよい。
【００３２】
図４は、ヘッダーハウジング２３０の底面の斜視図である。ヘッダーハウジング２３０は、ヘッダーハウジング１３０と類似している。ヘッダーハウジング２３０は、ヘッダーハウジング１３０とは異なる取付けパッド２３２を含む。取付けパッド２３２は、ヘッダーハウジング２３０の側部２３４，２３６に設けられる。図示の実施形態において、４個の取付けパッド２３２が設けられ、それらの取付けパッド２３２は両列のヘッダー接点１３６と一直線にされている。ヘッダーハウジング２３０は、はんだクリップのための取付けポストを含んでいない。むしろ、ヘッダーハウジング２３０は、取付けパッド２３２の回りに塗布されるエポキシを使用してＰＣＢ１２０（図１に示される）へ固定されるように構成される。代替の実施形態において、取付けパッド２３２の他の構成が可能である。
【００３３】
図５は、例示的実施形態に従って形成されるヘッダー接点１３６の一つの斜視図である。ヘッダー接点１３６は、ピン２５０とこのピン２５０から実質的に垂直に延出する尾部２５２を含むＬ形状本体を有する。例示的実施形態において、ヘッダー接点１３６は、図５に図示されるＬ形状へ打ち抜き加工される打ち抜き加工接点である。曲げ加工は、ピン２５０や尾部２５２を画定するために必要ではない。
【００３４】
ヘッダー接点１３６は、第１の側部２５４とこの第１の側部２５４の反対側の第２の側部２５６を含む。第１と第２の側部２５４、２５６は、ヘッダー接点１３６を形成するために使用されるブランクのそのままの又は非せん断表面である。ヘッダー接点１３６は、第１の側部２５４と第２の側部２５６との間に延出するせん断エッジ２５８，２６０を含む。せん断エッジ２５８，２６０は、打ち抜き加工プロセス中のブランクの切断によって画定される。せん断エッジ２５８，２６０は、第１と第２の側部２５４、２５６と同じ程滑らかでなくてもよい。例示的実施形態において、レセプタクル端子１４２（図１に示される）は、第１と第２の側部２５４、２５６がせん断エッジ２５８，２６０よりも滑らかであるので、せん断エッジ２５８，２６０よりも第１の側部２５４及び／又は第２の側部２５６と係合することが好ましい。
【００３５】
ピン２５０は、ピン軸２６２に沿って延出する。ピン２５０は、突起２６４を含む。図示の実施形態において、突起２６４は、ピン２５０の底部に近接して設けられる。例示的実施形態において、ピン２５０は、尾部２５２に近接するピン２５０の底部にくびれ部２６６を含む。くびれ部２６６は、ピン２５０及び／又は尾部２５２に比較して横断面が減少されている。くびれ部２６６によって、ヘッダー接点１３６がそのような位置（例えば、ピン２５０と尾部２５２の交点）でより容易に曲がるか又は湾曲できる。
【００３６】
尾部２５２は、頂部２６８と底部２７０を含む。はんだタブ２７２は、尾部２５２の先端２７４に近接する尾部２５２の底部２７０から延出する。はんだタブ２７２は、尾部２５２の底部２７０に沿うバンプや突起である。はんだタブ２７２は、ＰＣＢ１２０（図１に示される）の取付けパッド１２４（図１に示される）へはんだ付けされるように構成される。例示的実施形態において、はんだタブ２７２は、尾部２５２の異なる角度位置で取付けパッド１２４と良好な接触を可能とする湾曲表面を有する。
【００３７】
図６は、例示的実施形態に従って形成されるレセプタクル端子１４２の一つの側面斜視図である。レセプタクル端子１４２は、嵌合端部２８０と終端端部２８２との間に端子軸１４４に沿って延出する。嵌合端部２８０は、対応するヘッダー接点１３６（図５に示される）と嵌合されるように構成される。終端端部２８２は、対応するワイヤ１１２（図１に示される）に電気的に接続されるように構成される。
【００３８】
レセプタクル端子１４２は、その嵌合端部２８０にソケット２８４を含む。このソケット２８４は、ヘッダー接点１３６のピン２５０（図５に示される）を受け取るように構成される。図示の実施形態において、ソケット２８４は、４つの垂直壁によって画定される。例示的実施形態において、レセプタクル端子１４２は、４つの壁が曲げられてソケット２８４を形成するように打ち抜き加工と曲げ加工される。レセプタクル端子１４２は、ソケット２８４内へ延出する一つ以上の嵌合フィンガー２８６を含む。嵌合フィンガー２８６は、撓むことができ、ピン２５０がソケット２８４に装填されると、ピン２５０と係合するように構成される。嵌合フィンガー２８６は、レセプタクル端子１４２とヘッダー接点１３６との間の電気接続を確実とするためにピン２５０との一つ以上の接触ポイントを有する。例示的実施形態において、嵌合フィンガー２８６は、せん断エッジ２５８，２６０（図５に示される）と対向すると、ピン２５０の第１の側部２５４又は第２の側部２５６（両者は、図５に示される）のいずれかと係合するように構成される。
【００３９】
終端端部２８２は、第１の絶縁変位接点２８８と第２の絶縁変位接点２９０を含む。絶縁変位接点２８８，２９０は、対応するワイヤ１１２を受け取り、それらに電気的に接続される。絶縁変位接点２８８，２９０は、ワイヤ１１２の絶縁体を貫通してワイヤ１１２の導体に係合する。第１の絶縁変位接点２８８は、第１のスロット２９２を画定し、且つ第２の絶縁変位接点２９０は、第２のスロット２９４を画定する。スロット２９２，２９４は、レセプタクル端子１４２の頂部で開口している。スロット２９２，２９４は、スロット２９２，２９４の両側のアーム２９６，２９８によって画定される。アーム２９６，２９８は、絶縁を貫通し、導体がスロット２９２，２９４内に受け取られる。任意ではあるが、一方又は両アーム２９６，２９８は、ワイヤ１１２がスロット２９２，２９４に受け取られると、導体に対して付勢力を発揮するように撓むことができる。図示の実施形態において、スロット２９２，２９４は、端子軸１４４に対して垂直な軸に沿って一直線にされている。任意ではあるが、第１と第２のスロット２９２，２９４は、ワイヤ１１２が第１のスロット２９２と第２のスロット２９４との間でねじられる又は曲げられるようにオフセットされることができる。このようなねじれや曲げは、レセプタクル端子１４２内でワイヤ１１２に対する追加の保持力を提供することができる。
【００４０】
図７は、プラグハウジング１４０、レセプタクル端子１４２及びワイヤ１１２を示すプラグアセンブリ１０４の正面の斜視図である。レセプタクル端子１４２は、プラグハウジング１４０へ装填され、ワイヤ１１２は、レセプタクル端子１４２及びプラグハウジング１４０から延出する。プラグハウジング１４０は、前部３００と背部３０２を含む。
【００４１】
代替の実施形態において、レセプタクル端子１４２は、図６に図示される冗長な第１と第２の絶縁変位接点２８８，２９０とは対照的に、単一の絶縁変位端子を含むことができる。冗長な絶縁変位接点２８８，２９０を有することは、ワイヤ１１２との複数の接触ポイントを提供する。二つの絶縁変位接点２８８，２９０を有することは、単一の絶縁変位端子よりもより確実なレセプタクル端子１４２とワイヤ１１２との接続を提供する。任意ではあるが、二つを超える絶縁変位接点が、代替の実施形態において設けられてもよい。
【００４２】
プラグハウジング１４０は、前部３００と背部３０２との間に延出する両側部３０４，３０６を含む。プラグハウジング１４０は、その頂部に外端部３０８とその底部に内端部３１０を含む。内端部３１０は、ヘッダーハウジング１３０（図２に示される）にプラグ接続されるように構成される。端子軸１４４は、外端部３０８と内端部３１０との間に延出する。前部３００と背部３０２と側部３０４，３０６は、端子軸１４４に対して概して平行に延出する。
【００４３】
プラグハウジング１４０は、前部３００から延出するキー機能部３１２を含む。キー機能部３１２は、ヘッダーハウジング１３０のキー機能部（図２に示される）と相互作用してプラグアセンブリ１０４をヘッダーハウジング１３０内に向けるように構成される。図示の実施形態において、キー機能部３１２は、前部３００から外方へ延出するタブである。他のタイプのキー機能部が、代替の実施形態において可能である。プラグアセンブリ１０６（図１に示される）は、ヘッダーハウジング１３０に関してプラグアセンブリ１０６を向けるためにキー機能部３１２とは異なるキー機能部を含んでもよいことに留意すべきである。
【００４４】
プラグハウジング１４０は、対応するレセプタクル端子１４２を収容する複数の端子チャネル３１４を含む。端子チャネル３１４は、端子軸１４４に沿って延出する。端子チャネル３１４は、プラグハウジング１４０の内壁によって互いから分離される。レセプタクル端子１４２は、外端部３０８を介して端子チャネル３１４内に装填される。
【００４５】
プラグハウジング１４０は、側部３０４，３０６から外方へ延出する戻り止め３１６を含む。戻り止め３１６は、プラグアセンブリ１０４をヘッダーハウジング１３０内に固定するためのラッチ機能部を含む。他のタイプのラッチ機能部が代替の実施形態において使用されることができる。戻り止め３１６は、スロット２１６（図２に示される）に収容されてプラグアセンブリ１０４をヘッダーハウジング１３０内に固定する。
【００４６】
プラグハウジング１４０は、外端部３０８の前部３００と背部３０２に複数の開口端チャネル３１８，３２０を含む。これらの開口端チャネル３１８，３２０は、対応する端子チャネル３１４と一直線となっている。開口端チャネル３１８，３２０は、ワイヤ１１２を対応するレセプタクル端子１４２と嵌合するために対応するワイヤ１１２を受け取る前部３００と背部３０２を貫通する開口を提供する。例えば、ワイヤ１１２は、矢印Ａで示される装填方向へプラグハウジング１４０の外端部３０８を介して装填され、レセプタクル端子１４２の終端端部２８２（図６に示される）で第１と第２の絶編変位接点２８８，２９０へ押圧される。開口端チャネル３１８によって、ワイヤ１１２が前部３００から前方へ延出することができる。従って、ワイヤ１１２は、端子チャネル１４４に関して概して垂直に延出することができる。例示的実施形態において、開口端チャネル３１８，３２０は、広い引き込み部を有し、且つ開口端チャネル３１８，３２０の底部で狭くなっている。任意ではあるが、チャネル３１８，３２０の底部は、ワイヤ１１２を挟んでワイヤ１１２をプラグアセンブリ１０４内に確実に保持するようにサイズが決められてもよい。例示的実施形態において、チャネル３１８，３２０は、チャネル３１８，３２０の底部にワイヤ１１２を保持するためにワイヤ１１２の上方に延出する戻り止め３２２を有する。戻り止め３２２は、ワイヤ１１２の上方への移動を停止する。
【００４７】
図８は、プラグアセンブリ１０４の横断面図である。レセプタクル端子１４２は、対応する端子チャネル３１４に装填されるのが図示される。例示的実施形態において、レセプタクル端子１４２は、レセプタクル端子１４２の壁の少なくとも一つから延出するロックランス３３０を含む。ロックランス３３０は、端子チャネル３１４同士間の内壁に形成されるポケット３３２に受け取られるように構成される。ロックランス３３０は、端子チャネル３１４内にレセプタクル端子１４２を固定する。代替の実施形態において、ポケット３３２を有する代わりに、ロックランス３３０が内壁に押圧されて締りばめを生成し、レセプタクル端子１４２と端子チャネル３１４を保持することができる。
【００４８】
端子チャネル３１４は、ヘッダー接点１３６（図５に示される）のピン２５０（図５に示される）を受け取るための内端部３１０に開口３３４を有する。ピン２５０がレセプタクル端子１４２に装填されると、嵌合フィンガー２８６がピン２５０と係合する。図示の実施形態において、レセプタクル端子１４２は、ピン２５０の第１と第２の側部２５４，２５６（図５に示される）の両方と嵌合するためにレセプタクル端子１４２の両側に嵌合フィンガー２８６，２８６´を含む。嵌合フィンガー２８６の一つは、片持ち支持され、ピン２５０がレセプタクル端子１４２に装填されると、撓まされるように構成される。片持ち支持嵌合フィンガー２８６は、ピン２５０に抗して付勢力を提供してピン２５０をレセプタクル端子１４２の反対側の固定嵌合フィンガー２８６´へ押し付ける。固定嵌合フィンガー２８６´は、ソケット２８４に押圧されるバンプや突起として形成される。嵌合フィンガー２８６，２８６´は、嵌合インターフェース３３６，３３８を有する。図示された実施形態において、嵌合インターフェース３３６，３３８は、レセプタクル端子１４２の両側で互いに一直線にされる。レセプタクル端子１４２は、ヘッダーアセンブリ１３６への係合と電気的接続のための代替の実施形態において他の機能部を有していてもよい。
【００４９】
絶縁変位接点２９０は、開口端チャネル３２０と一直線にされる。開口端チャネル３２０のテーパー状引き込み部は、ワイヤ１１２をスロット２９４内へ案内するように構成される。図示の実施形態において、戻り止め３２２は、スロット２９４の丁度上に位置されてワイヤ１１２が絶縁変位接点２９０に関して所定位置に留まる（例えば、スロット２９４と一直線にされる）ことを保証する。
【００５０】
図９は、ヘッダーアセンブリ１０２に装填するのに備える状態にある第２のプラグアセンブリ１０６を有するハーネスコネクタ１００の正面の斜視図である。第２のプラグアセンブリ１０６は、複数のレセプタクル端子１４２を保持するプラグハウジング３４０を含む。プラグハウジング３４０は、前部３５０、背部３５２、及び前部３５０と背部３５２との間に延出する両側部３５４，３５６を有する。プラグハウジング３４０は、外端部３５８と内端部３６０を含む。内端部３６０は、ヘッダーハウジング１３０へプラグ接続されるように構成される。プラグハウジング３４０は、側部３５４，３５６から延出する戻り止め３６６を含む。戻り止め３６６は、ヘッダーハウジング１３０におけるスロット２１６に受領されてプラグハウジング３４０を第２の室２１０内へ固定するように構成される。プラグハウジング３４０は、ワイヤ１１２を受け取る開口端チャネル３６８，３７０を含む。開口端チャネル３６８，３７０は、レセプタクル端子１４２の終端端部２８２（図６に示される）と一直線にされる。開口端チャネル３６８，３７０は、ワイヤ１１２を絶縁変位接点２８８，２９０（図６に示される）内へ案内する。
【００５１】
組み立て中に、第１のプラグアセンブリ１０４は、第２のプラグアセンブリ１０６がヘッダーハウジング１３０へ装填されるのに先立って、ヘッダーアセンブリ１３０へ装填される。第２のプラグアセンブリ１０６がヘッダーアセンブリ１３０へ装填されると、外端部３５８は、プラグハウジング１４０の外端部３０８より上に上昇されるように構成される。プラグハウジング１４０の前部３５０から延出するワイヤ１１２は、プラグアセンブリ１０４の上方へ延出する。任意ではあるが、プラグハウジング３４０の前部３５０から延出するワイヤ１１２は、プラグハウジング３４０の開口端チャネル３１８，３２０を貫通して延出することができる。
【００５２】
図１０は、ハーネスコネクタ１００の横断面図である。第１の室２０８は、第２の室２１０よりも更にヘッダーハウジング１３０内へ延出する。例えば、第１のプラグアセンブリ１０４は取付け端部１３４へより近くに位置されることができる。第２のプラグアセンブリ１０６は、プラグアセンブリ１０６から延出するワイヤ１１２が第１のプラグアセンブリ１０４の頂部を横切って延出することができるように、第１のプラグアセンブリ１０４の僅かに上方へ上昇されることができる。任意ではあるが、第２のプラグアセンブリ１０６から延出するワイヤ１１２は、プラグアセンブリ１０４の開口端チャネル３１８，３２０を貫通して延出してもよい。
【００５３】
プラグアセンブリ１０４，１０６がヘッダーアセンブリ１０２へ装填されると、レセプタクル端子１４２は、ヘッダー接点１３６を受領して、それらに電気的に接続される。レセプタクル端子１４２の嵌合フィンガー２８６（図８に示される）は、ヘッダー接点１３６の第１と第２の側部２５４，２５６（図５に示される）と係合する。
【００５４】
例示的実施形態において、ヘッダーハウジング１３０は、ヘッダーハウジング１３０の取付け端部１３４から延出するアラインメントリブ３８０を含む。図示された実施形態において、アラインメントリブ３８０は、取付け端部１３４から延出するバンプや突起である。アラインメントリブ３８０は、尾部２５２の頂部２６８に係合する。アラインメントリブ３８０は、尾部２５２の各々を互いに同一平面で位置合わせして保持する。ヘッダー接点１３６は、ヘッダーハウジング１３０に装填され、尾部２５２がアラインメントリブ３８０と係合するまでヘッダーハウジング１３０内へ押圧される。アラインメントリブ３８０は、ＰＣＢ１２０（図１に示される）への取付けのため互いに同一平面にはんだタブ２７２の各々を保持する。突起２６４は、ヘッダーハウジング１３０と係合してヘッダー接点１３６をヘッダーハウジング１３０に保持する。くびれ部２６６は、ヘッダー接点１３６がヘッダーハウジング１３０へ装填されると、曲げられることができる。このような曲がりは、尾部２５２がアラインメントリブ３８０へ付勢されることを保証する。
【００５５】
図１１は、ハーネスコネクタ１００の正面図である。ヘッダー接点１３６は、ＰＣＢ１２０（図１に示される）への取り付けのための同一平面であるとして示される。取付けパッド２２８は、ヘッダーハウジング１３０をＰＣＢ１２０へ固定するのを助けるように使用されることができる。任意ではあるが、はんだクリップ２２０（図２に示される）は、ヘッダーハウジング１３０をＰＣＢ１２０へ固定するために使用されることができる。使用される時に、はんだクリップ２２０は、ＰＣＢ１２０へのはんだ付けのために、ヘッダー接点１３６の尾部２５２と概して同一平面に配向される。
【００５６】
プラグアセンブリ１０６は、プラグアセンブリ１０４の上方に僅かに上昇されていることが示される。ワイヤ１１２は、両プラグアセンブリ１０４，１０６から同じ前方方向へ延出する。プラグアセンブリ１０６から延出するワイヤ１１２は、プラグアセンブリ１０４の上方へ延出するように構成される。任意ではあるが、プラグアセンブリ１０６から延出するワイヤ１１２は、少なくとも部分的にプラグアセンブリ１０４の開口端チャネル３１８，３２０（図６に示される）を貫通するように延出することができる。このように配置されたプラグアセンブリ１０４，１０６を有すること及び／又は終端端部に絶縁変位接点を使用することによって、ワイヤが側部から延出することができ、ハーネスコネクタ１００の全体の垂直高さとサイズをより小さくすることができる。加えて、複数のプラグアセンブリ１０４，１０６を使用することによって、ハーネスコネクタ１００のコンポーネント、即ち、プラグアセンブリ１０４，１０６及び関連するワイヤ１１２は、例えば、ミラーの窓マウントを介して、より狭い空間へ嵌ることができる。複数のプラグアセンブリ１０４，１０６を有することによって、より良好なワイヤ管理とサイズの減少のためにヘッダーハウジング１３０にプラグアセンブリ１０４，１０６を交互に配置することが可能となる。
【００５７】
図１２は、ヘッダーハウジング１３０に装填されたプラグアセンブリ４０４の横断面図である。プラグアセンブリ４０４は、本質的にプラグアセンブリ１０４，１０６（図１に示される）の組み合わせである。プラグアセンブリ４０４は、夫々、第１と第２の室２０８，２１０内へ延出する第１と第２の延長部４４２，４４４を有する単一のプラグハウジング４４０を含む。プラグアセンブリ４０４は、中に複数のレセプタクル端子１４２を保持する。単一のプラグハウジング４４０を有することによって、レセプタクル端子１４２の全てがヘッダーハウジング１３０へ装填されることができ、同時に、対応するヘッダー接点１３６へ嵌合されることができ、従って、プラグアセンブリ１０４，１０６のような複数のプラグアセンブリを使用する実施形態に比較して、組み立て時間を減少できる。しかしながら、プラグハウジング４４０は、プラグアセンブリ１０４のプラグハウジング又はプラグアセンブリ１０６のプラグハウジングのいずれかよりも分厚い。
【００５８】
図示の実施形態において、第２の延長部４４４は、第１の延長部４４２よりも高く上昇される。例えば、第２の延長部４４４におけるレセプタクル端子１４２は、第１の延長部４４２におけるレセプタクル端子１４２よりも高く上昇される。ワイヤ１１２は、同じ方向へレセプタクル端子１４２から延出し、第２の延長部４４４におけるレセプタクル端子４２から延出するワイヤ１１２は、第１の延長部４４２におけるレセプタクル端子１４２より上方へ上昇され、その上に延出する。プラグアセンブリ４０４は、レセプタクル端子１４２を互い違いの関係で保持し、レセプタクル端子１４２の少なくとも一つは、少なくとも一つの他のレセプタクル端子１４２よりもヘッダーハウジング１３０の取付け端部からより遠くへ位置決めされる。
【００５９】
図１３は、ハーネスコネクタ５００の分解図である。ハーネスコネクタ５００は、ヘッダーアセンブリ５０２とプラグアセンブリ５０４を含む。ヘッダーアセンブリ５０２は、ヘッダーハウジング５１０と複数のヘッダー接点５１２を含む。プラグアセンブリは、プラグハウジング５２０、第１のレセプタクル端子５２２及び第２のレセプタクル端子５２４を含む。プラグハウジング５２０は、プラグハウジング１４０（図７に示される）と同様であることができ、同様な機能部を含む。第１と第２のレセプタクル５２２，５２４は、互いに異なっている。第１と第２のレセプタクル端子５２２，５２４は、互いに同一ではない。第１と第２のレセプタクル端子５２２，５２４は、異なるタイプの端子であってもよい。
【００６０】
図示の実施形態において、第１のレセプタクル端子５２２は、レセプタクル端子１４２（図６に示される）と実質的に類似している又は同一であることができる。第１のレセプタクル端子５２２は、レセプタクル端子１４２と同様にプラグハウジング５２０内に装填されることができる。任意ではあるが、第１のレセプタクル端子５２２は、一方の列が他方の列よりも上に上昇される二列に配置されることができ、それによって、第１のレセプタクル端子５２２へ終端されるワイヤ５２６が他方の列の第１のレセプタクル端子５２２の上に延出する。第１のレセプタクル端子５２２は、レセプタクル端子１４２と類似の方法でヘッダー接点５１２へ嵌合されることができる。第１のレセプタクル端子５２２は、レセプタクル端子１４２と類似の方法でワイヤ５２６へ終端されることができる。
【００６１】
第２のレセプタクル端子５２４は、第１のレセプタクル端子５２４とは異なるサイズ及び／又は形状にされることができる。図示の実施形態において、第２のレセプタクル端子５２４は、第１のレセプタクル端子５２２よりも大きい。任意ではあるが、第２のレセプタクル端子５２４は、第１のレセプタクル端子５２２と同様の形状にされることができるが、第２のレセプタクル端子５２４は、より大きなサイズにされてもよい。例示的実施形態において、第２のレセプタクル端子５２４は、電力を運び且つ電力ワイヤ５２８へ終端されるように構成される電力端子を構成することができ、他方、第１のレセプタクル端子５２２は、データ信号を運ぶための信号端子を構成することができる。
【００６２】
第１と第２のレセプタクル端子５２２，５２４は、プラグハウジング５２０へ装填され、次に、プラグアセンブリ５０４は、ヘッダーアセンブリ５０２へプラグ接続される。図示の実施形態がレセプタクル端子５２２，５２４の全てを保持する単一のプラグハウジング５２０を示すが、複数のプラグハウジングは、代替の実施形態において使用されることができる。例えば、一つのプラグハウジングは、第１のレセプタクル端子５２２を保持でき、第２のプラグハウジングは、第２のレセプタクル端子５２４を保持できる。或いは、一つのプラグハウジングは、任意の数の第１及び／又は第２のレセプタクル端子５２２，５２４を保持でき、第２のプラグハウジングは、任意の数の第１及び／又は第２のレセプタクル端子５２２，５２４を保持できる。
【００６３】
上記は、実例を意図しており、制限しないことを理解すべきである。多くの変更は、本発明の範囲から逸脱することなく、特定の状態や材料を本発明の教示へ適合するためになされることができる。ここに記述される寸法、材料のタイプ、種々のコンポーネントの向き、及び種々のコンポーネントの数と位置は、ある実施形態のパラメータを定義することを意図しており、決して制限するものではなく、単に例示的実施形態である。請求項の精神と範囲内で多くの他の実施形態及び変更は、当業者にとって明らかである。
【図１】
2014514723.tif 000003
【図２】
2014514723.tif 000004
【図３】
2014514723.tif 000005
【図４】
2014514723.tif 000006
【図５】
2014514723.tif 000007
【図６】
2014514723.tif 000008
【図７】
2014514723.tif 000009
【図８】
2014514723.tif 000010
【図９】
2014514723.tif 000011
【図１０】
2014514723.tif 000012
【図１１】
2014514723.tif 000013
【図１２】
2014514723.tif 000014
【図１３】
2014514723.tif 000015
【国際調査報告】
2014514723.tif 000016
2014514723.tif 000017
2014514723.tif 000018